(57)【要約】      （修正有）【課題】誰でも簡単に糞の回収と廃棄が出来て、そして簡単に流水のみで掃除が出来るペット用携帯トイレを提供する。【解決手段】携帯する為の長い柄２の下部には、糞収容箱６を取付けた際にその中が見えなくなり、蓋になる形状にした箱取付部３を設ける。ここに糞収容箱６を取付ける。糞収容箱６の取付は底部両側２ヶ所に形成されているボルト形状の両凸部７を箱取付部３下部両側に形成されている両貫通孔１０に可動出来る様に嵌め込んで結合する。更に、箱取付部３にはストッパー部８が有り、糞収容箱は一定の角度しか前に倒れない構造にする。糞収容箱６は四辺の内の一辺が長く突き出た形状をした糞回収部４と、その下部に繋がる糞収容部５を設けた形状にする。更に、この糞収容部５は略半円球にして、底に汚水通水孔９を設けた形状にする。【選択図】図３
0003156913.tif 000002
【実用新案登録請求の範囲】
【請求項１】
ペット用携帯トイレとして携帯する為の把握部１がついた長い柄２の下部は、糞収容箱６の箱取付部３にする。箱取付部３は糞収容箱６が取付けられた際、糞収容箱６の中が見えない蓋になる形状にする。
糞収容箱６は底部両側２ヶ所に形成されているボルト形状の両凸部７を箱取付部３の下部２ヶ所に形成してある両貫通孔１０に可動出来る様に嵌め込んで結合する。
この結合する位置は柄２を前後に傾けるだけで蓋収容箱６が重心の移動により前に倒れたり、後方に起き上がったりするバランスの位置にする。
更に糞収容箱６が前に倒れた際、糞収容箱６の一部が箱取付部３のストッパー部８に接して一定以上の角度前に倒れないようにする。
このような構造にすることを特徴とするペット携帯トイレ。
【請求項２】
糞収容箱６下部に有る糞収容部５の四辺の内一辺４は他辺より長くして、少し真ん中が窪んだスコップ形状にする。
つまり、ペットが糞をする時、ペットの股の下にこの突き出たスコップ形状の一辺４を差し込んで、糞を受け取る事が出来る糞回収部４にする、この受け取った糞は長い一辺４の先端を持ち上げて、下部に繋がる糞収容部５に転がし入れ収容する。
更に、糞収容箱６を横倒しにして、トイレの流水部に置いて水を流した時、トイレの流水で糞の流し出しと掃除が綺麗に出来るように、糞収容部５の形状は略半円球にして底部に汚水通水孔７を数箇所に開けた形状にする。
糞収容箱６をトイレの流水で掃除でき、また犬から糞の回収も直接出来る形状にする事を特徴とする請求項１掲載のペット携帯トイレ。
【考案の詳細な説明】
【技術分析】
【０００１】  本考案はペットが排泄する時、人は立ったままで糞を携帯トイレで直截受け取って回収する事ができ、受け取った糞をそのまま携帯出来る、廃棄する時は柄１を傾けるだけで糞は糞収容箱６から出てくる構造になっている。
更に、糞収容箱６の掃除は水道の水、又は水洗トイレの流水部の流水で手を汚さずに綺麗に出来る形状になっている糞収容箱６がついているペット用携帯トイレに関するものである。
【０００２】（１）愛玩動物用簡易便器        特許出願      ２００１−３２５６７２
（２）ペットの排泄物処理具      特許出願      ２００４−５００８１
（３）ペットの携帯トイレ        特許出願      ２００６−１３７５７１
（４）犬の糞処理器              特許出願      ２００３−２２４４１
（５）犬の散歩中の糞回収グッツ  登録実用新案  第３１３０７６５号
【０００３】  従来の考案、発明では
（１）柄に付けた袋で排泄物を受け取る。
（２）柄の先についた開閉アームにより袋に取り込む。
（３）柄の先に取り付けた袋に取り込んでレバーで蓋をする。
（４）皿で糞を受け取りレバーで蓋をする。
（５）収容箱にスコップで取込む等があるが、ペット携帯トイレで犬から直接糞を回収、且つ収容して外部から見えないように携帯でき、更に糞収容箱をトイレ等の流水で、手を汚さずに掃除まで出来る用具は無かった。
【考案の開示】
【考案が解決しようとする課題】
【０００４】  従来の考案発明では、ペットの散歩時の糞回収はビニール袋等の他容器に直接又はスコップ等で取り込む方法が考案されています。しかし従来の発明では
（１）糞の回収をスコップで箱や袋に取り入れる方法は臭くて汚い作業なので嫌がられていた。特に悪天候の日は大変だった。
（２）ビニール袋等で受けとる器具の場合は準備や糞の後処理が厄介だった。
（３）何れの考案発明も回収後の糞の廃棄や器具の掃除等は手作業でやらなければならず、手間のかかる作業であった。
これらの問題が全て解決された考案発明が無い為ペット携帯トイレはあまり実用化されておらず、販売もされていないのが実情である。
手を汚さず、匂いも嗅ぐ事も無く、ペットから直接糞を回収でき、その糞の廃棄と器具の掃除が簡単に出来る用具の発明が課題である。
【課題を解決するための手段】
【０００５】  課題を解決する為に請求項１に基づく構造、請求項２に基づく形状にするのである。【０００６】  請求項１の構造として、糞収容箱６を携帯する為に把握部１がついた長い柄２の下部にある箱取付部３に前後に可動が出来るように取付る。
つまり、糞収容箱６の底部両側２ヶ所に形成されているボルト形状の両凸部７を箱取付部３の下部２ヶ所に形成してある貫通孔１０に可動できる様に嵌め込んで結合するのである。
更に糞収容箱６が前方に横倒しになる時は、糞収容箱６の一部が糞取付部３のストッパー部８に接して一定以上の角度しか前に倒れないようにする。
この構造のペット携帯トイレは柄２を前に傾けると糞収容箱６は重心が移動して、前方に倒れる、この状態で請求項２記載のスコップ形状をした糞回収部４をペットが糞をする姿勢の際にその股下へ差し込んでペットから直接糞を回収する事が出来る。更に柄を少し後ろに反り返せば、このスコップ形状４の先端部が持ち上がり、中に有る糞は糞収容箱６の糞収容部５へ転げ込むと共に糞収容箱６は起き上がって、箱取付部３に重なり箱取付部３で蓋をした状態になり、そのまま持ち帰る事が出来るのである。【０００７】  請求項２の形状として、糞収容箱６は糞収容部５の四辺の内一辺が他辺より長い長四角形で少し真中が窪んだ角スコップに似た形状の糞回収部４が有る形状にする。
更に糞を収容する糞収容部５は略半円球の形状５をして底部に汚水通水孔９が開いている形状にする。
この形状の糞収容箱６にすればペットから直接糞を回収し、収容できるだけではなく、自宅トイレ等で携帯トイレの柄２を操作するだけで、糞収容箱６から糞を転げ出して、捨てる事が出来るのである。
更に流水やトイレの流水部で糞収容箱６を洗浄すれば水流が糞収容部５で回転するので汚れが落ちやすいのである。
又、汚水通水孔９がある事により、箱底の汚水は外部に流出して糞収容箱６の中が乾燥しやすく匂いも少なくなるのである。
【考案の効果】
【０００８】  社会的な公害として問題となっているのは、散歩中のペットの排泄物の処理であるが、本考案で、この問題は解決できたのである。
本考案のペット携帯トイレを使用すれば、糞で手を汚す事無く、加えて２次公害の元となるビニール袋等も使用する事も無く、しかも立ったままペットから直接糞の回収作業が出来るので、糞の回収で糞の匂いも間近で嗅ぐ事も無い。
更に、この携帯トイレは他人から見れば不快を感じる糞を見えないように箱取付部３で蓋をした状態で持ち帰る事が出来るのである。
その上、この糞を容器に入れたままトイレの便器に持ち運んで流して捨てる事が出来ると共に、トイレの流水部に置いて水を流し込めば、水流で糞収容箱６も綺麗に掃除出来るのである。
このペット携帯トイレの試作品を数年間使用してるが、この考案の目的通りの効果がある用具である。
この発明は単純な構造と安価で使用しやすい用具であり多くの人がこの用具を使用すれば、糞公害を無くする事が出来るのである。
【考案を実施するための最良の形態】
【０００９】  考案を実施する為に請求項１の構造にする
（１）糞収容箱６の箱取付部３への取付位置は柄を少し傾けるだけで、糞収容箱６が前に倒れ、柄を少し後に傾けて糞が収容部５に入れば、後ろに起き上がるように箱の重さと、糞が収容部５に入った時の重さバランスを考慮した位置に取り付ける。
（２）箱取付部３に糞収容箱６を取付けた時、接触している部分は、同一の形状にしてぴったりと一致させる。更に箱取付部３は糞収容箱６の中が見えなくなる蓋の形状にする。
（３）糞収容箱６の大きさ、強度は小型犬・中型犬・大型犬の三タイプに分けて形状を変える。更に取付部のボルト形状の両凸部は大きい形状の糞収容箱の場合は強度を考慮して糞収容箱６の両凸部にナット状のものを取付け、糞収容箱６が箱取付部３から外れないような構造にする。【００１０】  糞収容箱６は、請求項２の形状にして、トイレ等の流水で糞収容箱を綺麗にするだけではなく、汚れ落ちのよい材質で製造し、且つ汚れが落ちやすい加工処理をする。
【図面の簡単な説明】
【００１１】
【図１】本考案のペット携帯トイレ用、長い柄と箱取付部の見取り図
【図２】本考案のペット携帯トイレ用、糞収容箱の見取り図
【図３】本考案のペット携帯トイレの側面図
【図４】糞の回収時、糞収容箱を前倒しにした時の見取り図
【符号の説明】
【００１２】１．持ち手
２．柄
３．箱取付部
４．糞回収部、スコップの形状をした部分
５．糞収容部、半円球の形状をした部分
６．糞収容箱
７．取付用凸部
８．ストッパー部
９．汚水通水孔
１０．箱取付用貫通孔
【図１】
0003156913.tif 000003
【図２】
0003156913.tif 000004
【図３】
0003156913.tif 000005
【図４】
0003156913.tif 000006
【手続補正書】
【提出日】平成21年8月21日(2009.8.21)
【手続補正１】
【補正対象書類名】実用新案登録請求の範囲
【補正対象項目名】全文
【補正方法】変更
【補正の内容】
【実用新案登録請求の範囲】
【請求項１】
本考案のペット携帯トイレにおいて、糞収容箱取付部３両側の円形貫通孔１０に糞収容箱６の下部両外側凸部７を嵌め込み結合させ、持ち手１の操作のみで糞収容箱６は前に倒れたり、後に起き上がって糞収容箱取付部３に重なることが自在に出来る構造にしたことを特徴とするペット携帯トイレ。
【請求項２】
糞収容箱６を箱底部５が複数の小さな孔９を有した略半円球になるように形成し、更に四辺の内の一辺４を長くして、ペットの股下に差し込んで糞を受け取り、且つ収容が出来る形状にした事を特徴とする、請求項１記載のペット携帯トイレ。
【手続補正書】
【提出日】平成21年10月30日(2009.10.30)
【手続補正１】
【補正対象書類名】実用新案登録請求の範囲
【補正対象項目名】全文
【補正方法】変更
【補正の内容】
【実用新案登録請求の範囲】
【請求項１】
ペット携帯トイレにおいて、糞収容箱取付部３両側の円形貫通孔１０に糞収容箱６の下部両外側凸部７を嵌め込み結合させ、持ち手１の操作のみで糞収容箱６は前に倒れたり、後に起き上がって糞収容箱取付部３に重なることが自在に出来る構造にしたことを特徴とするペット携帯トイレ。
【請求項２】
糞収容箱６を箱底部５が複数の小さな孔９を有した略半円球になるように形成し、更に四辺の内の一辺４を長くして、ペットの股下に差し込んで糞を受け取り、且つ収容が出来る形状にした事を特徴とする、請求項１記載のペット携帯トイレ。